(57)【要約】【課題】本発明の課題は、鳥虫獣からケーブルが噛み付かれるような鳥虫獣害を減少させ、鳥虫獣害から保護することができる光ファイバドロップケーブルを提供することにある。【解決手段】本発明は、光ファイバ１２及びテンションメンバ１３，１４がケーブル外被１１中に埋め込まれた光ファイバドロップケーブルであって、ケーブル外被１１の構成材料に辛味成分を含むことを特徴とするものである。【選択図】    図１
2005037526.tif 000002
【特許請求の範囲】
【請求項１】
光ファイバ及びテンションメンバがケーブル外被中に埋め込まれた光ファイバドロップケーブルであって、ケーブル外被の構成材料に辛味成分を含むことを特徴とする光ファイバドロップケーブル。
【請求項２】
光ファイバ及びテンションメンバがケーブル外被中に埋め込まれた光ファイバドロップケーブルであって、ケーブル外被の構成材料に防虫・殺虫剤成分を含むことを特徴とする光ファイバドロップケーブル。
【請求項３】
光ファイバ及びテンションメンバがケーブル外被中に埋め込まれた光ファイバドロップケーブルであって、ケーブル外被の表面に辛味成分が塗布されることを特徴とする光ファイバドロップケーブル。
【請求項４】
光ファイバ及びテンションメンバがケーブル外被中に埋め込まれた光ファイバドロップケーブルであって、ケーブル外被の表面に辛味成分が塗布され、前記辛味成分の表面が耐候性および耐摩擦性を有する皮膜でコーティングされることを特徴とする光ファイバドロップケーブル。
【請求項５】
光ファイバ及びテンションメンバがケーブル外被中に埋め込まれた光ファイバドロップケーブルであって、ケーブル外被の表面に防虫・殺虫剤成分が塗布されることを特徴とする光ファイバドロップケーブル。
【請求項６】
光ファイバ及びテンションメンバがケーブル外被中に埋め込まれた光ファイバドロップケーブルであって、ケーブル外被の表面に防虫・殺虫剤成分が塗布され、前記防虫・殺虫剤成分の表面が耐候性および耐摩擦性を有する皮膜でコーティングされることを特徴とする光ファイバドロップケーブル。
【発明の詳細な説明】
【０００１】
【発明の属する技術分野】
本発明は光ファイバ及びテンションメンバがケーブル外被中に埋め込まれた光ファイバドロップケーブルに係り、特に、ケーブルを鳥虫獣害から保護するケーブル外被の改良に関するものである。
【０００２】
【従来の技術】
架空線路に用いられるケーブルでは、カラス等がケーブルをかじり断線させるといった鳥虫獣害が増加しており対策が必要となっている。従来の架空用光ファイバドロップケーブルでは電柱等の架空構造物との摩擦からケーブルを保護するケーブル保護カバーを巻くことによって、機械的な強度を向上させ、鳥虫獣害へ対応していた。また架空用光ファイバドロップケーブルは、従来、テンションメンバに金属線を利用しており、これにより、補助的ではあるが、鳥虫獣による噛み付きに対して機械的な強度を持っている。
【０００３】
なお、従来の架空ケーブルの鳥虫獣害対策の手段としては、ケーブルの外側に金属や硬質な保護層を設けて、鳥にかまれる等しても断線しないよういする技術（例えば、特許文献１参照）や、ケーブルに突起物の付いた電線保護管を敷設し、鳥を近づけないようにするといった技術（例えば、特許文献２参照）がある。
【０００４】
【特許文献１】
特開平６−１７４９８５号公報。
【０００５】
【特許文献２】
特開２０００−１７５３４０号公報。
【０００６】
【発明が解決しようとする課題】
しかし、昨今のブロードバンド環境の普及による一般住宅への光ファイバの普及から、架空用光ファイバドロップケーブルのテンションメンバによる雷サージの宅内への誘導が問題となり、無誘導の非金属の素材にテンションメンバが変更された。これにより鳥虫獣からの噛み付きに対して機械的な強度が低下している。また従来のようなケーブル保護カバーをもちいる工法では、ケーブル保護カバーの材質がゴムもしくはプラスチックのため、鳥やリスにかじられると簡単に剥ぎ取られるといった問題がある。
【０００７】
本発明は上記の事情に鑑みてなされたもので、鳥虫獣からケーブルが噛み付かれるような鳥虫獣害を減少させ、鳥虫獣害から保護することができる光ファイバドロップケーブルを提供することを目的とする。
【０００８】
【課題を解決するための手段】
上記目的を達成するために本発明は、光ファイバ及びテンションメンバがケーブル外被中に埋め込まれた光ファイバドロップケーブルであって、ケーブル外被の構成材料に辛味成分を含むことを特徴とするものである。
【０００９】
また本発明は、光ファイバ及びテンションメンバがケーブル外被中に埋め込まれた光ファイバドロップケーブルであって、ケーブル外被の構成材料に防虫・殺虫剤成分を含むことを特徴とするものである。
【００１０】
また本発明は、光ファイバ及びテンションメンバがケーブル外被中に埋め込まれた光ファイバドロップケーブルであって、ケーブル外被の表面に辛味成分が塗布されることを特徴とするものである。
【００１１】
また本発明は、光ファイバ及びテンションメンバがケーブル外被中に埋め込まれた光ファイバドロップケーブルであって、ケーブル外被の表面に辛味成分が塗布され、前記辛味成分の表面が耐候性および耐摩擦性を有する皮膜でコーティングされることを特徴とするものである。
【００１２】
また本発明は、光ファイバ及びテンションメンバがケーブル外被中に埋め込まれた光ファイバドロップケーブルであって、ケーブル外被の表面に防虫・殺虫剤成分が塗布されることを特徴とするものである。
【００１３】
また本発明は、光ファイバ及びテンションメンバがケーブル外被中に埋め込まれた光ファイバドロップケーブルであって、ケーブル外被の表面に防虫・殺虫剤成分が塗布され、前記防虫・殺虫剤成分の表面が耐候性および耐摩擦性を有する皮膜でコーティングされることを特徴とするものである。
【００１４】
【発明の実施の形態】
以下図面を参照して本発明の実施の形態例を詳細に説明する。
【００１５】
図１は本発明に係る光ファイバドロップケーブルの一実施形態例を示す断面図である。図において、１１はケーブル外被、１２は光ファイバ、１３，１４はテンションメンバである。すなわち、光ファイバ１２及びテンションメンバ１３，１４がケーブル外被１１中に埋め込まれた光ファイバドロップケーブルであって、ケーブル外被１１の構成材料に辛味成分を含んでいる。例えばケーブル外被１１はゴムもしくはプラスチックからなり、ケーブル外被１１の構成材料であるゴムもしくはプラスチックに辛味材料を練り込んで添加する。前記辛味材料には、辛子、わさび、山椒、にんにく、こしょう、があり、前記辛味成分には、不揮発性で長期間効果が薄れないカプサイシン、ピペリン、シャビシン、ピペリジン、サンショール、サンショアミド、ゼラニオール、サンショールワン、サンショールツー、ゼラニオール、ジンゲロール、ジンゲロン、ショウガオール等が有効である。これらの成分は食物の辛味成分であり、廃棄時にこの成分によって自然環境に与える影響がなく、また、ケーブルの施工時に作業者が素手で作業しても人体に有害となることはなく、施工者に対しても無害である。
【００１６】
前記ケーブル外被１１を用いて光ファイバドロップケーブルを構成することにより、カラス、ネズミ、リス、蟻等の鳥虫獣がかじると辛味成分により味覚もしくは嗅覚等に強い刺激を与えることが可能であり、ケーブルから鳥虫獣を退けることができ、ケーブル損傷の被害を避けることができるため、保守運用コストを抑えることができる。また、現在の光ファイバドロップケーブルの構造を変更することなく適用できるので、ケーブルを変更するだけで、施工面で特別な処理を行う必要はなく、施工の負担を増やすことなく鳥虫獣害対策をおこなえる上に創設費コストを抑えることが出来る。
【００１７】
なお、前記実施形態例では、ケーブル外被１１の構成材料に辛味成分が含まれる例について説明したが、これに限らず、ケーブル外被の構成材料には防虫・殺虫剤成分が含まれるようにしてもよく、この場合にも同様の効果がある。例えばケーブル外被の構成材料であるゴムもしくはプラスチックに防虫・殺虫剤成分を練り込んで添加する。前記防虫・殺虫剤成分としては、有機リン系殺虫剤として、クロールピリホス、ダイアジノン、フォスメット、マラチオンがあり、有機塩素系殺虫剤として、ＤＤＴ、ＴＤＥ、メトキシクロール、リンデン、クロルデンがあり、カルバメート化合物として、メソミル、プロポクスール、カルバリル、ベンジオカルブがあり、ピレトリン類（ピレスロイド剤）として、ペルメトリン、アレトリン、レスメトリン、テトラメトリンがある。このように、ケーブル外被の構成材料に防虫・殺虫剤成分が含まれる場合にも、ケーブル外被を用いて光ファイバドロップケーブルを構成することにより、鳥虫獣がかじると防虫・殺虫剤成分により味覚もしくは嗅覚等に強い刺激を与えることが可能であり、光ファイバドロップケーブルから鳥虫獣を退けることができる。
【００１８】
図２は本発明に係る光ファイバドロップケーブルの他の実施形態例を示す断面である。図２において、２１はケーブル外被、２２は光ファイバ、２３，２４はテンションメンバ、２５は辛味成分層、２６はコーティング層である。すなわち、光ファイバ２２及びテンションメンバ２３，２４がケーブル外被２１中に埋め込まれた光ファイバドロップケーブルであって、ケーブル外被２１の表面には辛味成分が塗布されて辛味成分層２５が形成され、前記辛味成分層２５の表面には耐候性および耐摩擦性を有するコーティング層２６がコーティングにより形成される。このような光ファイバドロップケーブルを鳥虫獣がかじると辛味成分により味覚もしくは嗅覚等に強い刺激を与えることが可能であり、ケーブルから鳥虫獣を退けることができる等の前記実施形態例と同様の効果がある。また、耐候性及び耐摩擦性を有するコーティング層２６で辛味成分層２５の表面がコーティングされることにより、塗布された辛味成分層２５が容易に落ちることがなくなる。耐候性及び耐摩擦性を有するコーティング層のコーティング例としては、フッ素樹脂コーティング、ウレタン樹脂コーティング、ナイロンコーティング、塩化ビニルコーティング、ポリエチレンコーティング等がある。
【００１９】
なお、前記実施形態例ではケーブル外被２１の外面に塗布された辛味成分層２５の表面に耐候性及び耐摩擦性を有するコーティング層２６が形成される場合について説明したが、これに限らず、ケーブル外被の外面に防虫・殺虫剤成分を塗布し、塗布された防虫・殺虫剤成分の表面に耐候性及び耐摩擦性を有するコーティング層が形成されるようにしてもよく、この場合にも前記実施形態例と同様の効果がある。
【００２０】
図３は本発明に係る光ファイバドロップケーブルの使用例を示す構成説明図である。図３において、３１，３２は電柱、３３は架空光ケーブル、３４は光クロージャ、３５は通信用架空光ファイバドロップケーブル、３６，３７はケーブル防護カバー、３８はユーザである。すなわち、電柱３１と３２間に架設された架空光ケーブル３３から光クロージャ３４により分岐された通信用架空光ファイバドロップケーブル３５はユーザ３８に引き込まれる。この場合、通信用架空光ファイバドロップケーブル３５には、電柱や架空光ケーブル等の架空構造物との摩擦から保護するためにケーブル防護カバー３６，３７が設けられる。
【００２１】
本発明の実施形態例に係る光ファイバドロップケーブルによれば、次のような効果が得られる。
【００２２】
（１）  あらゆるケーブルで構造の変更をすることなく用いることが可能であり、ケーブル外被として用いることによって、カラス、ネズミ、リス、蟻等が起こす鳥虫獣害からケーブルを保護することが可能である。
【００２３】
（２）  特別な施工を用いることがないので、低コストで、広範囲な範囲にわたって、鳥虫獣害によるケーブル被害を避けることが出来る。
【００２４】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【００２５】
【発明の効果】
以上述べたように本発明によれば、鳥虫獣からケーブルが噛み付かれるような鳥虫獣害を減少させ、鳥虫獣害から保護することができる光ファイバドロップケーブルを提供することができる。
【図面の簡単な説明】
【図１】本発明に係る光ファイバドロップケーブルの一実施形態例を示す断面図である。
【図２】本発明に係る光ファイバドロップケーブルの他の実施形態例を示す断面図である。
【図３】本発明に係る光ファイバドロップケーブルの使用例を示す構成説明図である。
【符号の説明】
１１…ケーブル外被、１２…光ファイバ、１３，１４…テンションメンバ、２１…ケーブル外被、２２…光ファイバ、２３，２４…テンションメンバ、２５…辛味成分層、２６…コーティング層、３１，３２…電柱、３３…架空光ケーブル、３４…光クロージャ、３５…通信用架空光ファイバドロップケーブル、３６，３７…ケーブル防護カバー、３８…ユーザ。
【図１】
2005037526.tif 000003
【図２】
2005037526.tif 000004
【図３】
2005037526.tif 000005